(57)【要約】【課題】印刷装置が使用されていた地域から遠く離れた地域に移設された場合においても、故障率を低減すると共に印刷品質を担保する。【解決手段】判定手段１１ａが、印刷装置１の存在を許容する地域に対して設定された時刻情報を示す地域設定時刻情報と、印刷装置１が現在存在する地域における時刻情報を示す地域存在時刻情報とを比較し、所定時間を超える時刻差があるか否かを判定し、選択表示手段１１ｂが、判定手段１１ａにより所定時間以上の時刻差があると判定された場合に、印刷装置１のメンテナンスを喚起すると共に、印刷装置１のメンテナンス実行または画像形成部１５による制限付き印刷処理の実行のいずれかを選択可能に表示させる。【選択図】      図１
2018103567.tif 000002
【特許請求の範囲】
【請求項１】
印刷ジョブに基づいて用紙に対して画像を印刷する印刷手段と、
印刷装置の存在を許容する地域に対して設定された時刻情報を示す地域設定時刻情報と、前記印刷装置が現在存在する地域における時刻情報を示す地域存在時刻情報とを比較し、所定時間を超える時刻差があるか否かを判定する判定手段と、
前記判定手段により所定時間を超える時刻差があると判定された場合に、当該印刷装置のメンテナンスを喚起すると共に、当該印刷装置のメンテナンス実行または前記印刷手段による制限付き印刷処理の実行のいずれかを選択可能に表示させる選択表示手段と、
を備えたことを特徴とする印刷装置。
【請求項２】
前記印刷装置は、ネットワークを介して複数の情報処理装置と接続されており、
前記ネットワークを介して接続された前記情報処理装置は複数であり、
前記複数の情報処理装置から当該情報処理装置に設定された時刻情報が付された前記印刷ジョブを受信したときに、前記時刻情報を前記地域存在時刻情報として、抽出する抽出手段と、
前記判定手段は、
前記複数の情報処理装置から受信した複数の印刷ジョブに基づいて、抽出された各地域存在時刻情報と、前記地域設定時刻情報とを比較し、所定時間を超える時刻差が前記複数の半数を超えるか否かを判定し、
前記選択表示手段は、
前記判定手段により所定時間を超える時刻差が前記複数の半数を超えると判定された場合に、当該印刷装置のメンテナンスを喚起すると共に、当該印刷装置のメンテナンス実行または前記印刷手段による制限付き印刷処理の実行のいずれかを選択可能に表示させる
ことを特徴とする請求項１記載の印刷装置。
【請求項３】
前記印刷装置は、ネットワークを介して複数の情報処理装置と接続されており、
前記複数の情報処理装置から当該情報処理装置に設定された時刻情報が付された前記印刷ジョブを受信したときに、前記時刻情報を前記地域存在時刻情報として、抽出する抽出手段と、
前記判定手段は、
前記複数の情報処理装置のうちの１つから印刷ジョブを受信した後、所定時間印刷ジョブを受信しなかった場合に、受信した印刷ジョブから抽出された地域存在時刻情報と、前記地域設定時刻情報とを比較し、所定時間を超える時刻差であるか否かを判定し、
前記選択表示手段は、
前記判定手段により所定時間を超える時刻差であると判定された場合に、当該印刷装置のメンテナンスを喚起すると共に、当該印刷装置のメンテナンス実行または前記印刷手段による制限付き印刷処理の実行のいずれかを選択可能に表示させる
ことを特徴とする請求項１記載の印刷装置。
【発明の詳細な説明】
【技術分野】
【０００１】
本発明は、印刷装置が使用されていた地域から遠く離れた地域に移設された場合においても、故障率を低減すると共に印刷品質を担保する印刷装置に関する。
【背景技術】
【０００２】
近年の市場のグローバル化に伴い、印刷装置は様々な国や地域に出荷され、例えば、出荷先のオフィスなどで複数のコンピュータ間で共有化されて使用されることが多くなっている。
【０００３】
ここで、出荷先の国や地域によって気温、湿度や電源電圧などの印刷装置の使用環境が異なるので、通常は、印刷装置が適切に動作するように、使用する地域の使用環境に合わせて印刷設定や、時刻設定、電圧設定など初期設定された状態で出荷されている。
【０００４】
特許文献１には、協定世界時（UTC）に基づいて校正されている信頼できる基準時刻を刻む基準時刻手段と、ネットワークを介してクライアントが使用する時刻情報を所定のタイミングで取得するクライアント時刻取得手段と、クライアント時刻取得手段が取得したクライアント時刻と基準時刻手段から取得した基準時刻とを比較して両者の時刻差が所定範囲内であることを監視すると共に、監視したことを証明する時刻監視手段とを具備した時刻監視システムに関する技術について開示されている。
【先行技術文献】
【特許文献】
【０００５】
【特許文献１】特開２００３−２６３５１７号公報
【発明の概要】
【発明が解決しようとする課題】
【０００６】
ここで、印刷装置は、同じオフィス内で使用されるだけでなく、例えば、オフィスの移転などの理由により、出荷された当初使用されていたオフィスから遠く離れた別のオフィスへ移設されることもある。
【０００７】
このような場合、特許文献１に開示された時刻監視システムでは、クライアント時刻取得手段が取得したクライアント時刻と基準時刻手段から取得した基準時刻とを比較して両者の時刻差が所定範囲内であることを監視し、時刻差が所定範囲外となった場合に警告などを行うものの、印刷装置の設定に対して設定変更の支援を行うことがない。このため、警告された場合に、たとえば、故障につながるような場合であってもユーザの判断で印刷設定が変更されることなく印刷装置が使用され続けることになる。
【０００８】
その結果、ユーザが意図しない印刷装置の故障の原因になったり、印刷品質が低下したりする場合があった。
【０００９】
本発明はこのような問題に鑑みてなされたもので、印刷装置が使用されていた地域から遠く離れた地域に移設された場合においても、故障率を低減すると共に印刷品質を担保することができる印刷装置を提供することを目的とする。
【課題を解決するための手段】
【００１０】
上記目的を達成するため、本発明に係る印刷装置の第１の特徴は、
印刷ジョブに基づいて用紙に対して画像を印刷する印刷手段と、
前記印刷装置の存在を許容する地域に対して設定された時刻情報を示す地域設定時刻情報と、前記印刷装置が現在存在する地域における時刻情報を示す地域存在時刻情報とを比較し、所定時間を超える時刻差があるか否かを判定する判定手段と、
前記判定手段により所定時間を超える時刻差があると判定された場合に、当該印刷装置のメンテナンスを喚起すると共に、当該印刷装置のメンテナンス実行または前記印刷手段による制限付き印刷処理の実行のいずれかを選択可能に表示させる選択表示手段とを備えたことにある。
【００１１】
また、本発明に係る印刷装置の第２の特徴は、
前記印刷装置は、ネットワークを介して複数の情報処理装置と接続されており、
前記ネットワークを介して接続された前記情報処理装置は複数であり、
前記複数の情報処理装置から当該情報処理装置に設定された時刻情報が付された前記印刷ジョブを受信したときに、前記時刻情報を前記地域存在時刻情報として、抽出する抽出手段と、
前記判定手段は、
前記複数の情報処理装置から受信した複数の印刷ジョブに基づいて、抽出された各地域存在時刻情報と、前記地域設定時刻情報とを比較し、所定時間を超える時刻差が前記複数の半数を超えるか否かを判定し、
前記選択表示手段は、
前記判定手段により所定時間を超える時刻差が前記複数の半数を超えると判定された場合に、当該印刷装置のメンテナンスを喚起すると共に、当該印刷装置のメンテナンス実行または前記印刷手段による制限付き印刷処理の実行のいずれかを選択可能に表示させることにある。
【００１２】
また、本発明に係る印刷装置の第３の特徴は、
前記印刷装置は、ネットワークを介して複数の情報処理装置と接続されており、
前記複数の情報処理装置から当該情報処理装置に設定された時刻情報が付された前記印刷ジョブを受信したときに、前記時刻情報を前記地域存在時刻情報として、抽出する抽出手段と、
前記判定手段は、
前記複数の情報処理装置のうちの１つから印刷ジョブを受信した後、所定時間印刷ジョブを受信しなかった場合に、受信した印刷ジョブから抽出された地域存在時刻情報と、前記地域設定時刻情報とを比較し、所定時間を超える時刻差であるか否かを判定し、
前記選択表示手段は、
前記判定手段により所定時間を超える時刻差であると判定された場合に、当該印刷装置のメンテナンスを喚起すると共に、当該印刷装置のメンテナンス実行または前記印刷手段による制限付き印刷処理の実行のいずれかを選択可能に表示させることにある。
【発明の効果】
【００１３】
本発明に係る印刷装置の第１の特徴によれば、判定手段が、印刷装置の存在を許容する地域に対して設定された時刻情報を示す地域設定時刻情報と、印刷装置が現在存在する地域における時刻情報を示す地域存在時刻情報とを比較し、所定時間を超える時刻差があるか否かを判定し、選択表示手段が、判定手段により所定時間を超える時刻差があると判定された場合に、当該印刷装置のメンテナンスを喚起すると共に、当該印刷装置のメンテナンス実行または印刷手段による制限付き印刷処理の実行のいずれかを選択可能に表示させる。
【００１４】
これにより、印刷装置が出荷当初に使用されていた地域から遠く離れた地域に移設された場合に、ユーザは、印刷装置の設定を最適化するメンテナンスが必要であることを認識することができるので、ユーザは、直ぐにサービスマンを呼び、メンテナンスを実行させることができる。
【００１５】
その一方、ユーザは、印刷に制限があったとしても今すぐに印刷を行いたい場合、制限付きで印刷動作を継続させることができる。
【００１６】
このように、ユーザは、メンテナンスにより設定を最適化するか、または機能を制限して印刷を継続させるかをユーザが選択することができる。これにより、印刷装置が使用されていた地域から遠く離れた地域に移設された場合においても、印刷装置の故障率を低減すると共に印刷品質を担保することができる。
【００１７】
また、本発明に係る印刷装置の第２の特徴によれば、抽出手段が、複数の情報処理装置から当該情報処理装置に設定された時刻情報が付された印刷ジョブを受信したときに、時刻情報を地域存在時刻情報として、抽出し、判定手段が、複数の情報処理装置から受信した複数の印刷ジョブに基づいて、抽出された各地域存在時刻情報と、地域設定時刻情報とを比較し、所定時間を超える時刻差が複数の半数を超えるか否かを判定し、選択表示手段が、判定手段により所定時間を超える時刻差が複数の半数を超えると判定された場合に、当該印刷装置のメンテナンスを喚起すると共に、当該印刷装置のメンテナンス実行または印刷手段による制限付き印刷処理の実行のいずれかを選択可能に表示させる。
【００１８】
これにより、請求項１の効果に加え、サーバ装置が設けられていない場合においても、ネットワークを介して接続された複数のクライアント装置から受信した印刷ジョブに含まれる時刻情報を活用して、印刷装置が出荷当初に使用されていた地域から遠く離れた地域に移設されたか否かを推測することができる。
【００１９】
また、本発明に係る印刷装置の第３の特徴によれば、抽出手段が、複数の情報処理装置から当該情報処理装置に設定された時刻情報が付された印刷ジョブを受信したときに、時刻情報を地域存在時刻情報として、抽出し、判定手段が、複数の情報処理装置のうちの１つから印刷ジョブを受信した後、所定時間印刷ジョブを受信しなかった場合に、受信した印刷ジョブから抽出された地域存在時刻情報と、地域設定時刻情報とを比較し、所定時間を超える時刻差であるか否かを判定し、選択表示手段が、判定手段により所定時間を超える時刻差であると判定された場合に、当該印刷装置のメンテナンスを喚起すると共に、当該印刷装置のメンテナンス実行または印刷手段による制限付き印刷処理の実行のいずれかを選択可能に表示させる。
【００２０】
これにより、請求項１の効果に加え、所定時間印刷ジョブを受信しなかった場合、待機状態を継続することなく、受信した印刷ジョブに含まれる時刻情報を活用して、印刷装置が出荷当初に使用されていた地域から遠く離れた地域に移設されたか否かを推測することができる。そのため、長時間ユーザを待たせることなく、メンテナンスを喚起すると共に、当該印刷装置のメンテナンス実行または印刷手段による制限付き印刷処理の実行のいずれかを選択可能に表示させることができる。
【図面の簡単な説明】
【００２１】
【図１】本発明に係る実施例１の印刷装置とクライアント装置とサーバ装置の構成を示す構成図である。
【図２】本発明に係る実施例１の印刷装置の処理内容を示すフローチャートである。
【図３】操作パネル部１４に表示されたメンテナンス推奨画面の一例を示した図である。
【図４】本発明に係る実施例１の印刷装置とクライアント装置の構成を示す構成図である。
【図５】本発明に係る実施例２の印刷装置の処理内容を示すフローチャートである。
【図６】本発明に係る実施例２の印刷装置の処理内容を示すフローチャートである。
【発明を実施するための形態】
【００２２】
以下、本発明に係る印刷装置の実施形態１について、図面を参照して説明する。なお、以下に示す実施形態１の印刷装置は、この発明の技術的思想を具体化するために例示するものであって、この発明の技術的思想は、各構成部品の配置等を下記のものに特定されるものではなく、この発明の技術的思想の範囲内において、種々の変更を加えることができる。
【００２３】
（実施例１）
図１は、本発明に係る実施例の印刷装置１とクライアント装置２とサーバ装置４の構成を示す構成図である。なお、ここでは、クライアント装置２とサーバ装置４とを総称して情報処理装置という。
【００２４】
図１に示すように、本発明に係る実施例１の印刷装置１は、有線または無線のイントラネットワークやインターネット等のネットワーク３を介して、複数台（ここでは、一例として、３台とする。）のクライアント装置２と接続されており、各クライアント装置２からの印刷ジョブを受信して画像を形成するように構成されている。また、印刷装置１は、ネットワーク３を介して、サーバ装置４とも接続されている。
【００２５】
各クライアント装置２は、汎用のパーソナルコンピュータやタブレット、スマートフォン等のコンピュータ装置であり、印刷ジョブを生成して、ネットワーク３を介して印刷装置１に送信して印刷させるものである。各クライアント装置２は、ＣＰＵ２１と、メモリ２２と、記憶部２３と、液晶ディスプレイ等の表示部２４と、キーボードやマウス等の入力部２５と、ネットワーク３に接続されるネットワークＩ／Ｆ部２６等を備える。
【００２６】
記憶部２３は、図示しないＯＳ（オペレーションシステム）プログラムや、プリンタドライバプログラム２３ａ、ブラウザプログラムや文書作成プログラム等の各種アプリケーションプログラム２３ｂを記憶している。
【００２７】
また、記憶部２３は、標準時など地域ごとに設定された時刻を示す時刻情報２３ｃが記憶されている。
【００２８】
ＣＰＵ２１は、記憶部２３に記憶された各プログラムを実行することにより、クライアント装置２全体の動作を制御すると共に、特に、プリンタドライバプログラム２３ａを実行することによりブラウザプログラムや文書作成プログラム等の各種アプリケーションプログラム２３ｂによって生成したデータに基づいて印刷ジョブを生成し、この印刷ジョブに、図示しない時計により計時されて記憶部２３に記憶されている時刻情報２３ｃを付加して印刷装置１へ送信する。
【００２９】
サーバ装置４は、印刷装置１および各クライアント装置２を管理する装置であり、ＣＰＵ４１と、メモリ４２と、記憶部４３と、液晶ディスプレイ等の表示部４４と、キーボードやマウス等の入力部４５と、ネットワーク３に接続されるネットワークＩ／Ｆ部４６等を備える。
【００３０】
記憶部４３は、図示しないＯＳ（オペレーションシステム）プログラムを記憶している。また、記憶部４３は、管理している印刷装置１が出荷された出荷先の地域を示す仕向け情報と、仕向け情報が示す地域におけるグリニッジ標準時との時差とが関連付けられて記憶された仕向け時差情報４３ａと、印刷装置を識別可能な装置ＩＤと仕向け情報とが関連付けられた仕向け装置情報４３ｂとが記憶されている。ここで地域とは、同一の標準時を使用している地域のことを指す。これにより、例えば、装置ＩＤが判れば、仕向け装置情報４３ｂに基づいて仕向け情報が決まり、仕向け時差情報４３ａに基づいて仕向け情報から仕向け情報が示す地域におけるグリニッジ標準時との時差が決まるので、図示しないが、ネットワーク３介してグリニッジ標準時を取得することにより、装置ＩＤが示す印刷装置１に対応する、地域ごとに設定された時刻を示す時刻情報、すなわち、印刷装置１の存在を許容する地域に対して設定された時刻情報である地域設定時刻情報を算出することができる。
【００３１】
ＣＰＵ４１は、記憶部４３に記憶されたＯＳ（オペレーションシステム）プログラムを実行することにより、サーバ装置４全体の動作を制御すると共に、印刷装置１から、時刻情報の問い合わせがあった場合に、この問い合わせと共に送信された装置ＩＤに対応する時刻情報を印刷装置１に送信する。
【００３２】
印刷装置１は、ＣＰＵ１１と、記憶部１２と、プログラム記憶部１３と、操作パネル部１４と、画像形成部１５と、ネットワーク３に接続されるネットワークＩ／Ｆ部１６等を備える。
【００３３】
記憶部１２は、各クライアント装置２が送信してきた印刷ジョブを記憶すると共に、時刻情報１２ａと、所定時間設定情報１２ｂとを記憶している。
【００３４】
記憶部１２に記憶された時刻情報１２ａは、ユーザ設定時刻情報１２ａ２を含んでいる。
【００３５】
ユーザ設定時刻情報１２ａ２は、印刷装置１が現在存在する地域における時刻情報を示す地域存在時刻情報である。具体的には、印刷装置１が出荷され最初に電源が投入されたときに、ユーザによる初期設定時に設定され、その後図示しない時計により計時される時刻情報であり、ユーザによる書き換えが可能なように記憶されている。
【００３６】
また、所定時間設定情報１２ｂは、仕向け情報ごとに、所定時間が記憶された情報である。ここで、所定時間は、後述するように時間差が許容される許容範囲として予め設定されている。例えば、仕向け情報が日本全体を示す地域である場合、２（ｈｒ）を超えるような時間差がある場合、遠く離れた他国に移設している可能性が高いと推測できるので、所定時間を２（ｈｒ）と設定する。また、仕向け情報がヨーロッパ全体を示す地域である場合、ヨーロッパ内では大小様々な国で様々な標準時間が定められているので、６（ｈｒ）以内であれば、ヨーロッパ内での移設と推測できるので、所定時間を６（ｈｒ）と設定する。
【００３７】
プログラム記憶部１３は、ＣＰＵ１１が印刷装置１全体の動作を制御すると共に、本発明の判定手段１１ａと、選択表示手段１１ｂ、抽出手段１１ｃとして機能させるための制御プログラム１３ａが格納されている。
【００３８】
操作パネル部１４は、電源のオン／オフや、コピーや印刷等の画像形成の切り替え、画像形成時の枚数や用紙のサイズ、印刷濃度等の印刷装置１における各種設定をユーザ操作によって受付ける。また、操作パネル部１４は、メンテナンス推奨画面を表示する。
【００３９】
画像形成部１５は、各クライアント装置２から受信した印刷ジョブに基づいて画像形成を行うもので、各色のインクヘッドからインクを吐出して印刷を行うインクジェット方式や、孔版印刷方式、レーザー印刷方式等の各種印刷方式により画像形成を実行する。
【００４０】
ＣＰＵ１１は、プログラム記憶部１３に記憶された制御プログラム１３ａを実行することにより、印刷装置１全体を制御すると共に、本発明に係る印刷装置１の機能を具現化する判定手段１１ａと、選択表示手段１１ｂとして機能する。
【００４１】
判定手段１１ａは、印刷装置１の存在を許容する地域に対して設定された時刻情報を示す地域設定時刻情報と、印刷装置１が現在存在する地域における時刻情報を示す地域存在時刻情報とを比較し、所定時間を超える時刻差があるか否かを判定する。
【００４２】
選択表示手段１１ｂは、判定手段に１１ａより所定時間を超える時刻差があると判定された場合に、印刷装置１のメンテナンスを喚起すると共に、印刷装置１のメンテナンス実行または画像形成部１５による制限付き印刷処理の実行のいずれかを選択可能に表示させる。
【００４３】
次に、以上のように構成された印刷装置１の動作を、図面を参照して説明する。
【００４４】
本発明の実施例１である印刷装置１は、サーバ装置４に時刻情報を問い合わせることにより、自装置が遠く離れた場所に移設されたか否かを判定する。
【００４５】
図２は、本発明に係る実施例１の印刷装置１の処理内容を示すフローチャートである。
【００４６】
図２に示すように、印刷装置１は、電源が投入されると（ステップＳ１０１）、サーバ装置４に対して、ネットワーク３を介して自装置の装置ＩＤを送信すると共に、時刻情報の送信を要求する（ステップＳ１０３）。この時刻情報の送信要求に対して、サーバ装置４は、装置ＩＤが示す印刷装置１に対応する地域ごとに設定された時刻を示す時刻情報を印刷装置１に返す。
【００４７】
そして、印刷装置１の判定手段１１ａは、サーバ装置４から送信された時刻情報（地域設定時刻情報）と、記憶部１２に記憶されたユーザ設定時刻情報１２ａ２（地域存在時刻情報）とを比較し、時間差が所定時間以内か否かを判定する（ステップＳ１０５）。ここで、所定時間は、所定時間設定情報１２ｂに基づいて、ユーザ設定時刻情報１２ａ２に含まれる仕向け情報に対応する所定時間として決定される。
【００４８】
時間差が所定時間以内であると判定された場合（ステップＳ１０５；ＹＥＳ）、印刷装置１の時計にズレが生じているか、または印刷装置１が移設されたとしても比較的近隣の地域であると推測することができるので、動作制限なしの通常モードで印刷処理を実行する（ステップＳ１１５）。
【００４９】
一方、時間差が所定時間を超えていると判定された場合（ステップＳ１０５；ＮＯ）、出荷時に印刷装置１が設置された地域と遠く離れた地域に移設されており、現状の設定が移設された使用環境において最適となっていない可能性がある。
【００５０】
そこで、設定の最適化を促すために、選択表示手段１１ｂは、操作パネル部１４にメンテナンス推奨画面を表示する（ステップＳ１０７）。
【００５１】
図３は、操作パネル部１４に表示されたメンテナンス推奨画面の一例を示した図である。
【００５２】
図３に示すように、操作パネル部１４に表示されたメンテナンス推奨画面１４ａには、例えば「メンテナンスの必要があります。サービスマンを呼んでください。」というメッセージを表示するメッセージ表示欄１４ｂと、機能を制限して印刷を継続させるためのボタン１４ｃと、メンテナンスを行うために印刷を一時中止するためのボタン１４ｄとが設けられている。
【００５３】
これにより、ユーザは印刷装置１にメンテナンスが必要であることを認識することができ、直ぐにサービスマンを呼び、メンテナンスを実行したい場合には、ボタン１４ｄを押下操作する。
【００５４】
その一方、ユーザは、印刷の速度が低下してでも今すぐに印刷を行いたい場合、ボタン１４ｃを押下操作することにより、機能を制限、すなわち制限付きで印刷動作を継続させることができる。
【００５５】
ボタン１４ｄが押下操作された場合（ステップＳ１０９；ＹＥＳ）、メンテナンスを行うために印刷の一時中止する（ステップＳ１１１）。
【００５６】
そして、ユーザがサービスマンに連絡し、サービスマンが仕向け情報や使用される地域に合わせたユーザ設定時刻情報１２ａ２の修正や使用される地域に合った駆動電源の修正などメンテナンスの作業を行った後、復旧し（ステップＳ１１３）、動作制限なしの通常モードで印刷処理を実行する（ステップＳ１１５）。
【００５７】
一方、ステップＳ１０９において、メンテナンスが選択されなかった、すなわちボタン１４ｃが押下操作された場合（ステップＳ１０９；ＮＯ）、選択表示手段１１ｂは、機能制限モードを設定し、機能制限モードで印刷を実行する（ステップＳ１１７）。この機能制限モードは、例えば、画像形成部１５による印刷処理において、用紙を搬送する搬送速度を「高速」、「中速」、「低速」のうち、「中速」および「低速」のみ選択可能としたり、連続印刷可能時間を通常“１０”（ｈｒ）のところ、“５”（ｈｒ）とするなど、最も厳しい使用環境においても故障率が高くならないよう、また、印刷品質を担保することができるように機能を制限したモードである。
【００５８】
この機能制限モードを選択可能にしていることにより、今すぐにメンテナンスを行い現在の使用環境に最適な設定を行う替わりに、印刷速度、連続印刷可能時間の制限付きで印刷処理を実行させるので、故障率を低減しつつ印刷品質を担保した状態で印刷を継続させることができる。
【００５９】
以上のように、本発明に係る実施例１の印刷装置１によれば、判定手段１１ａが、印刷装置１の存在を許容する地域に対して設定された時刻情報を示す地域設定時刻情報と、印刷装置１が現在存在する地域における時刻情報を示す地域存在時刻情報とを比較し、所定時間を超える時刻差があるか否かを判定し、選択表示手段１１ｂが、判定手段１１ａにより所定時間以上の時刻差があると判定された場合に、印刷装置１のメンテナンスを喚起すると共に、印刷装置１のメンテナンス実行または画像形成部１５による制限付き印刷処理の実行のいずれかを選択可能に表示させる。
【００６０】
これにより、印刷装置が出荷当初に使用されていた地域から遠く離れた地域に移設された場合に、ユーザは、印刷装置の設定を最適化するメンテナンスが必要であることを認識することができるので、ユーザは、直ぐにサービスマンを呼び、メンテナンスを実行させることができる。
【００６１】
その一方、ユーザは、印刷に制限があったとしても今すぐに印刷を行いたい場合、制限付きで印刷動作を継続させることができる。
【００６２】
このように、ユーザは、メンテナンスにより設定を最適化するか、または機能を制限して印刷を継続させるかをユーザが選択することができる。これにより、印刷装置１の故障率を低減すると共に印刷品質を担保することができる。
【００６３】
なお、印刷装置１がネットワークと接続されていない場合であっても、記憶部１２に読み出し可能で書き換え不能にされている地域設定時刻情報が初期設定で記憶され、記憶された地域設定時刻情報と地域存在時刻情報とを比較して上述の判定処理を行ってもよい。
【００６４】
（実施例２）
本発明の実施例１では、サーバ装置４に時刻情報を問い合わせることにより、自装置が遠く離れた場所に移設されたか否かを推測する印刷装置１を例に挙げて説明したがこれに限らない。
【００６５】
本発明の実施例２では、複数のクライアント装置２から受信する印刷ジョブに含まれる時刻情報に基づいて、半数を超えるクライアント装置２の時刻情報が所定時間を超えている場合、自装置が遠く離れた場所に移設されたと推測する印刷装置１を例に挙げて説明する。ここでは、３台のクライアント装置２から受信する印刷ジョブに含まれる時刻情報に基づいて、２台のクライアント装置２の時刻情報が所定時間を超えている場合、自装置が遠く離れた場所に移設されたと推測する印刷装置１を例に挙げて説明する。
【００６６】
図４は、本発明に係る実施例２の印刷装置１とクライアント装置２との構成を示す構成図である。
【００６７】
図４に示すように、本発明に係る実施例２の印刷装置１は、有線または無線のイントラネットワークやインターネット等のネットワーク３を介して、複数台（ここでは、一例として、３台とする。）のクライアント装置２と接続されており、各クライアント装置２からの印刷ジョブを受信して画像を形成するように構成されている。
【００６８】
各クライアント装置２は、本発明に係る実施例１において説明したクライアント装置２と同一の構成を有するので、説明を省略する。
【００６９】
印刷装置１は、ＣＰＵ１１と、記憶部１２と、プログラム記憶部１３と、操作パネル部１４と、画像形成部１５と、ネットワーク３に接続されるネットワークＩ／Ｆ部１６等を備える。
【００７０】
記憶部１２は、各クライアント装置２が送信してきた印刷ジョブを記憶すると共に、時刻情報１２ａと、所定時間設定情報１２ｂとを記憶している。
【００７１】
記憶部１２に記憶された時刻情報１２ａは、実施例１と異なり、ユーザ設定時刻情報１２ａ２の替わりに初期設定時刻情報１２ａ１を含んでいる。
【００７２】
初期設定時刻情報１２ａ１は、自装置の出荷先の地域に対応する仕向け情報を含んでおり、工場出荷時に、この仕向け情報に基づいて初期設定として設定され、その後図示しない時計により計時される時刻情報であり、ユーザによる書き換えは不可となるように記憶されている。所定時間設定情報１２ｂは、実施例１で示した所定時間設定情報１２ｂと同一である。その他、実施例１において説明した構成のうち、同一の符号が付され同一の機能を有する構成については説明を省略する。
【００７３】
ＣＰＵ１１は、プログラム記憶部１３に記憶された制御プログラム１３ａを実行することにより、印刷装置１全体を制御すると共に、本発明に係る印刷装置１の機能を具現化する判定手段１１ａと、選択表示手段１１ｂ、抽出手段１１ｃとして機能する。
【００７４】
抽出手段１１ｃは、クライアント装置２に設定された時刻情報が付された印刷ジョブを受信したときに、受信した印刷ジョブに含まれる時刻情報を地域存在時刻情報として、抽出する。
【００７５】
判定手段１１ａは、３台のクライアント装置２から受信した複数の印刷ジョブに基づいて、抽出された各地域存在時刻情報と、印刷装置１の存在を許容する地域に対して設定された時刻情報を示す地域設定時刻情報とを比較し、所定時間を超える時刻差が複数の半数を超えるか否かを判定する。
【００７６】
選択表示手段１１ｂは、判定手段に１１ａより所定時間を超える時刻差が半数を超えると判定された場合に、印刷装置１のメンテナンスを喚起すると共に、印刷装置１のメンテナンス実行または画像形成部１５による制限付き印刷処理の実行のいずれかを選択可能に表示させる。
【００７７】
次に、以上のように構成された印刷装置１の動作を、図面を参照して説明する。
【００７８】
図５，６は、本発明に係る実施例２の印刷装置１の処理内容を示すフローチャートである。
【００７９】
図５に示すように、印刷装置１は、電源が投入されると（ステップＳ２０１）、印刷装置１は、第１クライアント装置２から印刷ジョブを受信したか否かを判定する（ステップＳ２０３）。なお、第１クライアント装置２とは、クライアント装置２の一つであり、いずれのクライアント装置２でもよい。ここでは、便宜上、印刷ジョブを受信した順番に、第１クライアント装置２、第２クライアント装置２、第３クライアント装置２として説明する。
【００８０】
第１クライアント装置２から印刷ジョブを受信したと判定された場合（ステップＳ２０３）、抽出手段１１ｃは、第１クライアント装置２から受信した印刷ジョブに含まれる時刻情報を地域存在時刻情報として、を抽出する（ステップＳ２０５）。
【００８１】
次に、判定手段１１ａは、第１クライアント装置２から受信した印刷ジョブから抽出した地域存在時刻情報と、記憶部１２に記憶された初期設定時刻情報１２ａ１（地域設定時刻情報）とを比較し、第１クライアント装置２の時刻との時間差が所定時間以内か否かを判定する（ステップＳ２０７）。ここで、所定時間は、所定時間設定情報１２ｂに基づいて、初期設定時刻情報１２ａ１に含まれる仕向け情報に対応する所定時間として決定される。
【００８２】
第１クライアント装置２の時刻との時間差が所定時間以内であると判定された場合（ステップＳ２０７；ＹＥＳ）、２台目のクライアント装置２の比較結果を参照するため、判定手段１１ａは、受信待機時間以内に第２クライアント装置２から印刷ジョブを受信したか否かを判定する（ステップＳ２０９）。ここで、受信待機時間以内とは、印刷ジョブを受信した時点から、次に印刷ジョブを受信する時点までの予め定められた時間のことをいう。
【００８３】
受信待機時間を設定した理由は、最初の印刷ジョブを受信後、次の印刷ジョブがくるまでに長時間待機すると、最初の印刷ジョブの処理が遅れるため、それを防止するためである。
【００８４】
受信待機時間以内に第２クライアント装置２から印刷ジョブを受信しない場合（ステップＳ２０９；ＮＯ）、第１クライアント装置２の時刻情報との比較結果を信頼する。つまり、判定手段１１ａは、印刷装置１は当初使用されていた地域で継続的に使用されているか、時刻情報が合致していなかったとしても印刷装置１の時計にズレが生じているか、または印刷装置１が移設されたとしても比較的近隣の地域である可能性があると推測する。
【００８５】
そこで、ＣＰＵ１１は、処理をステップＳ２３１へ移行し、動作制限なしの通常モードで印刷処理を実行する（ステップＳ２３１）。
【００８６】
一方、受信待機時間以内に第２クライアント装置２から印刷ジョブを受信した場合（ステップＳ２０９；ＹＥＳ）、抽出手段１１ｃは、第２クライアント装置２から受信した印刷ジョブに含まれる時刻情報を地域存在時刻情報として、抽出する（ステップＳ２１１）。
【００８７】
次に、判定手段１１ａは、第２クライアント装置２から受信した印刷ジョブから抽出した地域存在時刻情報と、記憶部１２に記憶された初期設定時刻情報１２ａ１（地域設定時刻情報）とを比較し、第２クライアント装置２の時刻との時間差が所定時間以内か否かを判定する（ステップＳ２１３）。
【００８８】
第２クライアント装置２の時刻との時間差が所定時間以内であると判定された場合（ステップＳ２１３；ＹＥＳ）、第１クライアント装置２の時刻情報との比較においても所定時間以内であり（ステップＳ２０７；ＹＥＳ）、第２クライアント装置２の時刻情報との比較においても所定時間以内である（ステップＳ２１３；ＹＥＳ）。即ち、３台のクライアント装置２のうち、２台のクライアント装置２について、時刻情報の比較の結果、所定時間以内であったということになる。そこで、判定手段１１ａは、印刷装置１は当初使用されていた地域で継続的に使用されているか、時刻情報が合致していなかったとしても印刷装置１の時計にズレが生じているか、または印刷装置１が移設されたとしても比較的近隣の地域である可能性があると推測する。
【００８９】
そこで、ＣＰＵ１１は、処理をステップＳ２３１へ移行し、動作制限なしの通常モードで印刷処理を実行する（ステップＳ２３１）。
【００９０】
一方、第２クライアント装置２の時刻との時間差が所定時間を超えていると判定された場合（ステップＳ２１３；ＮＯ）、第１クライアント装置２の時刻情報との比較においては所定時間以内であるが（ステップＳ２０７；ＹＥＳ）、第２クライアント装置２の時刻情報との比較においては所定時間を超えていることになる（ステップＳ２１３；ＹＥＳ）。即ち、３台のクライアント装置２のうち、１台のクライアント装置２は所定時間内であり、他の１台のクライアント装置２は所定時間を超えていることになる。
【００９１】
そこで、３台目のクライアント装置２の比較結果を参照するため、受信待機時間以内に第３クライアント装置２から印刷ジョブを受信したか否かを判定する（ステップＳ２１５）。
【００９２】
受信待機時間以内に第３クライアント装置２から印刷ジョブを受信しない場合（ステップＳ２１５；ＮＯ）、第１クライアント装置２の時刻情報との比較結果を信頼する。つまり、２台のクライアント装置２から時刻情報を取得し、そのうち１台のクライアント装置２の時刻情報と比較の結果、所定時間以内であったので、判定手段１１ａは、印刷装置１は当初使用されていた地域で継続的に使用されているか、時刻情報が合致していなかったとしても印刷装置１の時計にズレが生じているか、または印刷装置１が移設されたとしても比較的近隣の地域である可能性があると推測する。
【００９３】
そこで、ＣＰＵ１１は、処理をステップＳ２３１へ移行し、動作制限なしの通常モードで印刷処理を実行する（ステップＳ２３１）。
【００９４】
受信待機時間以内に第３クライアント装置２から印刷ジョブを受信した場合（ステップＳ２１５；ＹＥＳ）、抽出手段１１ｃは、第３クライアント装置２から受信した印刷ジョブに含まれる時刻情報を地域存在時刻情報として、抽出する（ステップＳ２１７）。
【００９５】
次に、判定手段１１ａは、第３クライアント装置２から受信した印刷ジョブから抽出した地域存在時刻情報と、記憶部１２に記憶された初期設定時刻情報１２ａ１（地域設定時刻情報）とを比較し、第３クライアント装置２の時刻との時間差が所定時間以内か否かを判定する（ステップＳ２１９）。
【００９６】
第３クライアント装置２の時刻との時間差が所定時間を超えていると判定された場合（ステップＳ２１９；ＮＯ）、第１クライアント装置２の時刻情報との比較においては所定時間以内であるが（ステップＳ２０７；ＹＥＳ）、第２クライアント装置２および第３クライアント装置２の時刻情報との比較においては所定時間を超えていることになる（ステップＳ２１３,Ｓ２１９；ＹＥＳ）。即ち、３台のクライアント装置２のうち、２台のクライアント装置２について、時刻情報の比較の結果、所定時間を超えたということになる。そのため、出荷時に印刷装置１が設置された地域と遠く離れた地域に移設されており、現状の設定が移設された使用環境において最適となっていない可能性がある。
【００９７】
そこで、設定の最適化を促すために、選択表示手段１１ｂは、操作パネル部１４にメンテナンス推奨画面を表示する（ステップＳ２２３）。なお、メンテナンス推奨画面は、図３に示したメンテナンス推奨画面と同一であるので、説明を省略する。
【００９８】
メンテナンス推奨画面において、ユーザによりボタン１４ｄが押下操作された場合（ステップＳ２２５；ＹＥＳ）、メンテナンスを行うために印刷の一時中止する（ステップＳ２２７）。
【００９９】
そして、ユーザがサービスマンに連絡し、サービスマンが仕向け情報や使用される地域に合わせた初期設定時刻情報１２ａ１の修正や使用される地域に合った駆動電源の修正などメンテナンスの作業を行った後、復旧し（ステップＳ２２９）、動作制限なしの通常モードで印刷処理を実行する（ステップＳ２３１）。
【０１００】
一方、ステップＳ２２５において、メンテナンスが選択されなかった、すなわちボタン１４ｃが押下操作された場合（ステップＳ２２５；ＮＯ）、選択表示手段１１ｂは、機能制限モードを設定し、機能制限モードで印刷を実行する（ステップＳ２３３）。この機能制限モードを選択可能にしていることにより、今すぐにメンテナンスを行い現在の使用環境に最適な設定を行う替わりに、印刷速度、連続印刷可能時間の制限付きで印刷処理を実行させるので、故障率を低減しつつ印刷品質を担保した状態で印刷を継続させることができる。
【０１０１】
一方、ステップＳ２１５において、受信待機時間以内に第３クライアント装置２から印刷ジョブを受信しなかった場合（ステップＳ２１５；ＮＯ）、第１クライアント装置２の時刻情報との比較においては所定時間以内であるが（ステップＳ２０７；ＹＥＳ）、第２クライアント装置２の時刻情報との比較においては所定時間を超えていることになる（ステップＳ２１３；ＹＥＳ）。即ち、３台のクライアント装置２のうち、１台のクライアント装置２は所定時間内であり、他の１台のクライアント装置２は所定時間を超えていることになる。そして、３台目のクライアント装置２から印刷ジョブが送信されないので、１度、所定時間以内であると判定されているので（ステップＳ２０７；ＹＥＳ）、この判定結果を採用して、ＣＰＵ１１は、処理をステップＳ２３１へ移行し、動作制限なしの通常モードで印刷処理を実行する（ステップＳ２３１）。
【０１０２】
また、ステップＳ２１９において、第３クライアント装置２の時刻との時間差が所定時間以下であると判定された場合（ステップＳ２１９；ＹＥＳ）、第１クライアント装置２および第３クライアント装置２の時刻情報との比較においては所定時間以内であり（ステップＳ２０７、Ｓ２１９；ＹＥＳ）、第２クライアント装置２の時刻情報との比較においては所定時間を超えていることになる（ステップＳ２１３；ＹＥＳ）。即ち、３台のクライアント装置２のうち、２台のクライアント装置２は所定時間内であり、１台のクライアント装置２は所定時間を超えていることになる。そのため、この判定結果に基づいて、ＣＰＵ１１は、処理をステップＳ２３１へ移行し、動作制限なしの通常モードで印刷処理を実行する（ステップＳ２３１）。
【０１０３】
また、ステップＳ２０７において、第１クライアント装置２の時刻との時間差が所定時間を超えていると判定された場合（ステップＳ２０７；ＮＯ）、２台目のクライアント装置２の比較結果を参照するため、判定手段１１ａは、受信待機時間以内に第２クライアント装置２から印刷ジョブを受信したか否かを判定する（ステップＳ２２１）。
【０１０４】
ステップＳ２２１において、受信待機時間以内に第２クライアント装置２から印刷ジョブを受信しなかった場合（ステップＳ２２１；ＮＯ）、第１クライアント装置２の時刻情報との比較に基づいて、ＣＰＵ１１は、処理をステップＳ２２３へ移行し、設定の最適化を促すために、選択表示手段１１ｂは、操作パネル部１４にメンテナンス推奨画面を表示する（ステップＳ２２３）。
【０１０５】
一方、ステップＳ２２１において、受信待機時間以内に第２クライアント装置２から印刷ジョブを受信した場合（ステップＳ２２１；ＹＥＳ）、図６に示すステップＳ３０１に処理を移行する。
【０１０６】
ステップＳ３０１において、抽出手段１１ｃは、第２クライアント装置２から受信した印刷ジョブに含まれる時刻情報を地域存在時刻情報として、抽出する。
【０１０７】
次に、判定手段１１ａは、第２クライアント装置２から受信した印刷ジョブから抽出した地域存在時刻情報と、記憶部１２に記憶された初期設定時刻情報１２ａ１（地域設定時刻情報）とを比較し、第２クライアント装置２の時刻との時間差が所定時間以内か否かを判定する（ステップＳ３０３）。
【０１０８】
第２クライアント装置２の時刻との時間差が所定時間を超えたと判定された場合（ステップＳ２１３；ＮＯ）、第１クライアント装置２および第２クライアント装置２の時刻情報との比較において所定時間を超えていることになる（ステップＳ２０７，Ｓ３０３；ＮＯ）。即ち、３台のクライアント装置２のうち、２台のクライアント装置２について、時刻情報の比較の結果、所定時間を超えたということになる。そのため、出荷時に印刷装置１が設置された地域と遠く離れた地域に移設されており、現状の設定が移設された使用環境において最適となっていない可能性がある。
【０１０９】
そこで、ＣＰＵ１１は、処理をステップＳ２２３に移行し、設定の最適化を促すために、選択表示手段１１ｂは、操作パネル部１４にメンテナンス推奨画面を表示する（ステップＳ２２３）。
【０１１０】
一方、第２クライアント装置２の時刻との時間差が所定時間以内であると判定された場合（ステップＳ３０３；ＹＥＳ）、第１クライアント装置２の時刻情報との比較においては所定時間を超えているが（ステップＳ２０７；ＮＯ）、第２クライアント装置２の時刻情報との比較においては所定時間以内ことになる（ステップＳ２１３；ＹＥＳ）。即ち、３台のクライアント装置２のうち、１台のクライアント装置２は所定時間内であり、他の１台のクライアント装置２は所定時間を超えていることになる。
【０１１１】
そこで、３台目のクライアント装置２の比較結果を参照するため、受信待機時間以内に第３クライアント装置２から印刷ジョブを受信したか否かを判定する（ステップＳ３０５）。
【０１１２】
受信待機時間以内に第３クライアント装置２から印刷ジョブを受信しない場合（ステップＳ３０５；ＮＯ）、第２クライアント装置２の時刻情報との比較結果を信頼する。つまり、２台のクライアント装置２から時刻情報を取得し、そのうち１台のクライアント装置２の時刻情報と比較の結果、所定時間以内であったので、判定手段１１ａは、印刷装置１は当初使用されていた地域で継続的に使用されているか、時刻情報が合致していなかったとしても印刷装置１の時計にズレが生じているか、または印刷装置１が移設されたとしても比較的近隣の地域である可能性があると推測する。
【０１１３】
そこで、ＣＰＵ１１は、処理をステップＳ２３１へ移行し、動作制限なしの通常モードで印刷処理を実行する（ステップＳ２３１）。
【０１１４】
一方、受信待機時間以内に第３クライアント装置２から印刷ジョブを受信した場合（ステップＳ３０７；ＹＥＳ）、抽出手段１１ｃは、第３クライアント装置２から受信した印刷ジョブに含まれる地域ごとに設定された時刻情報を抽出する（ステップＳ３０７）。
【０１１５】
次に、判定手段１１ａは、第３クライアント装置２から受信した印刷ジョブから抽出した時刻情報と、記憶部１２に記憶された初期設定時刻情報１２ａ１とを比較し、第３クライアント装置２の時刻との時間差が所定時間以内か否かを判定する（ステップＳ３０９）。
【０１１６】
第３クライアント装置２の時刻との時間差が所定時間を超えていると判定された場合（ステップＳ３０９；ＮＯ）、第２クライアント装置２の時刻情報との比較においては所定時間以内であるが（ステップＳ３０３；ＹＥＳ）、第１クライアント装置２および第３クライアント装置２の時刻情報との比較においては所定時間を超えていることになる（ステップＳ２０７,Ｓ３０９；ＹＥＳ）。即ち、３台のクライアント装置２のうち、２台のクライアント装置２について、時刻情報の比較の結果、所定時間を超えたということになる。そのため、出荷時に印刷装置１が設置された地域と遠く離れた地域に移設されており、現状の設定が移設された使用環境において最適となっていない可能性がある。
【０１１７】
そこで、ＣＰＵ１１は、処理をステップＳ２２３に移行し、設定の最適化を促すために、選択表示手段１１ｂは、操作パネル部１４にメンテナンス推奨画面を表示する（ステップＳ２２３）。
【０１１８】
一方、ステップＳ３０９において、第３クライアント装置２の時刻との時間差が所定時間以内であると判定された場合（ステップＳ３０９；ＹＥＳ）、第１クライアント装置２の時刻情報との比較においては所定時間を超えているが（ステップＳ２０７；ＮＯ）、第２クライアント装置２および第３クライアント装置２の時刻情報との比較においては所定時間以内ということになる（ステップＳ３０３，Ｓ３０９；ＹＥＳ）。即ち、３台のクライアント装置２のうち、２台のクライアント装置２は所定時間内であり、１台のクライアント装置２は所定時間を超えていることになる。そのため、この判定結果に基づいて、ＣＰＵ１１は、処理をステップＳ２３１へ移行し、動作制限なしの通常モードで印刷処理を実行する（ステップＳ２３１）。
【０１１９】
以上のように、本発明に係る実施例２の印刷装置１によれば、抽出手段１１ｃが、３台のクライアント装置２から印刷ジョブを受信したときに、受信した印刷ジョブに含まれる時刻情報を地域存在時刻情報として、抽出し、判定手段１１ａが、３台のクライアント装置２から受信した複数の印刷ジョブに基づいて、抽出された各地域存在時刻情報と、印刷装置の存在を許容する地域に対して設定された時刻情報を示す地域設定時刻情報とを比較し、所定時間を超える時刻差が複数の半数を超えるか否かを判定し、選択表示手段１１ｂが、判定手段に１１ａより所定時間を超える時刻差が半数を超えると判定された場合に、印刷装置１のメンテナンスを喚起すると共に、印刷装置１のメンテナンス実行または画像形成部１５による制限付き印刷処理の実行のいずれかを選択可能に表示させる。
【０１２０】
そのため、サーバ装置４が設けられていない場合においても、ネットワーク３を介して接続された複数のクライアント装置２から受信した印刷ジョブに含まれる時刻情報を活用して、印刷装置１が出荷当初に使用されていた地域から遠く離れた地域に移設されたか否かを推測することができる。
【０１２１】
これにより、ユーザは、印刷装置の設定を最適化するメンテナンスが必要であることを認識することができるので、ユーザは、直ぐにサービスマンを呼び、メンテナンスを実行させることができる。
【０１２２】
その一方、ユーザは、印刷に制限があったとしても今すぐに印刷を行いたい場合、制限付きで印刷動作を継続させることができる。
【０１２３】
このように、ユーザは、メンテナンスにより設定を最適化するか、または機能を制限して印刷を継続させるかをユーザが選択することができる。
【０１２４】
なお、本発明に係る実施例２では、抽出手段１１ｃが、クライアント装置２に設定された時刻情報が付された印刷ジョブを受信したときに、受信した印刷ジョブに含まれる時刻情報を地域存在時刻情報として、抽出したがこれに限らない。
【０１２５】
例えば、ネットワーク３を介して地域の時刻情報を管理する地域時刻情報管理サーバを備え、この地域時刻情報管理サーバから地域存在時刻情報を取得するようにしてもよい。
【０１２６】
なお、本発明に係る実施例２では、ネットワーク３を介して３台のクライアント装置２と接続された印刷装置１を例に挙げて説明したが、これに限らず、２台、４台、５台、６台、７台・・・など複数台のクライアント装置２と接続されていてもよい。
【０１２７】
例えば、５台のクライアント装置２と接続されている場合、判定手段１１ａは、５つの時刻情報のうち３の時刻情報について所定時間を超える時刻差があるか否かを判定し、６台のクライアント装置２と接続されている場合、判定手段１１ａは、６つの時刻情報のうち４つの時刻情報について所定時間を超える時刻差があるか否かを判定する。
【符号の説明】
【０１２８】
１  印刷装置
２  クライアント装置（第１クライアント装置、第２クライアント装置、第３クライアント装置）
３  ネットワーク
４  サーバ装置
１１ａ  判定手段
１１ｂ  選択表示手段
１１ｃ  抽出手段
１２  記憶部
１２ａ  時刻情報
１２ａ１  初期設定時刻情報
１２ａ２  ユーザ設定時刻情報
１２ｂ  所定時間設定情報
１３  プログラム記憶部
１３ａ  制御プログラム
１４  操作パネル部
１４ａ  メンテナンス推奨画面
１４ｂ  メッセージ表示欄
１４ｃ，１４ｄ  ボタン
１５  画像形成部（印刷手段）
１６  ネットワークＩ／Ｆ部
２２  メモリ
２３  記憶部
２３ａ  プリンタドライバプログラム
２３ｂ  種アプリケーションプログラム
２３ｃ  時刻情報
２４  表示部
２５  入力部
４２  メモリ
４３  記憶部
４３ａ  時差情報
４３ｂ  装置情報
４４  表示部
４５  入力部
４６  ネットワークＩ／Ｆ部部
【図１】
2018103567.tif 000003
【図２】
2018103567.tif 000004
【図３】
2018103567.tif 000005
【図４】
2018103567.tif 000006
【図５】
2018103567.tif 000007
【図６】
2018103567.tif 000008